(57)【特許請求の範囲】
【請求項１】
ハウジングの本体部に端子を収容可能な収容部が形成され、前記本体部の上面に順次重ねられることによって複数段に重ね合わされる合体型コネクタにおいて、
前記本体部の上面の両側部に他方の合体型コネクタの結合をガイドする一対のガイド壁を有し、
前記一対のガイド壁の各ガイド壁は、
内側に突出した内側突出部を有し、
前記本体部は、
両側壁から外側に向けて突出して設けられた一対の外側突起部を有し、
一方の当該合体型コネクタの前記外側突起部のガイド入口側の端部が、他方の当該合体型コネクタの前記内側突出部に当接されることによって連結され、
複数の当該合体型コネクタが連結された場合、一方の当該合体型コネクタの前記一対のガイド壁と、他方の当該合体型コネクタの前記両側壁との間に、ガイド方向に沿って隙間部が形成され、
前記外側突起部に、
前記隙間部側の端面から該隙間部側の端面に対向する端面に向かって貫通し前記隙間部とガイド方向で繋がるように形成される挿通穴を設けてなる、又は、前記隙間部側の端面から該隙間部側の端面に対向する端面に向かって凹状に形成され前記隙間部とガイド方向で繋がるように形成される挿通穴を設けてなることを特徴とする合体型コネクタ。
【請求項２】
ハウジングの本体部に端子を収容可能な収容部が形成され、前記本体部の上面に重ねられる合体型コネクタと連結される第一の連結部と、前記本体部の下面に重ねられる合体型コネクタと連結される第二の連結部とを有してなり、複数の合体型コネクタが重ね合わされて連結可能な合体型コネクタにおいて、
前記第一の連結部は、
前記本体部の上面の両側部から上方に突設されてなり、他方の当該合体型コネクタの前記本体部の両側壁に摺接して該他方の合体型コネクタの結合をガイドする一対のガイド壁を有し、
前記一対のガイド壁の各ガイド壁は、
ガイド方向に沿って延在した弾性片であり、かつガイド入口側の端部が固定端となり、他端の自由端に内側に突出した内側突出部を有してなる第一の係合部が設けられ、
前記第二の連結部は、
前記本体部の両側壁から外側に向けて突出して設けられた一対の外側突起部からなる第二の係合部を有してなり、
一方の当該合体型コネクタの前記外側突起部のガイド入口側の端部が、他方の当該合体型コネクタの前記内側突出部に当接されることによって連結され、
複数の当該合体型コネクタが連結された場合、一方の当該合体型コネクタの前記一対のガイド壁と、他方の当該合体型コネクタの前記両側壁との間に、ガイド方向に沿って隙間部が形成され、
前記外側突起部に、
前記隙間部側の端面から該隙間部側の端面に対向する端面に向かって貫通し前記隙間部とガイド方向で繋がるように形成される挿通穴を設けてなる、又は、前記隙間部側の端面から該隙間部側の端面に対向する端面に向かって凹状に形成され前記隙間部とガイド方向で繋がるように形成される挿通穴を設けてなることを特徴とする合体型コネクタ。
【請求項３】
請求項１または２に記載された合体型コネクタと、
前記隙間部に挿入されて前記挿通穴に挿通可能な挿通部材を有してなる連結解除冶具と、
を有してなる合体型コネクタユニットであって、
前記挿通部材は、
長手方向に直交する断面外形が矩形状の棒状部材であり、先端に向けて対向する面の一方の面に近づくように傾斜した傾斜面を有してなることを特徴とする合体型コネクタユニット。
【発明の詳細な説明】
【技術分野】
【０００１】
本発明は、合体型コネクタおよび合体型コネクタシステムに関する。
【背景技術】
【０００２】
従来、自動車に搭載されるコネクタは、集約して配置することによってスペース効率を向上させるようにしている。例えば、特許文献１には、複数のコネクタをハウジングの上下面に重ねて連結させることによってスペース効率を向上させた合体型コネクタが記載されている。
【先行技術文献】
【特許文献】
【０００３】
【特許文献１】特開２０１０−１００３５号公報
【発明の概要】
【発明が解決しようとする課題】
【０００４】
特許文献１に記載された合体型コネクタは、コネクタハウジングには、ハウジング本体上面側外壁の両側部から上方に延出されたガイド側壁を有し、ガイド側壁それぞれにはガイド方向に沿って弾性係合片が設けられ、ガイド側壁それぞれの下方に位置したハウジング本体外側壁には他方のコネクタハウジングの下に重ねられる一方のハウジングのガイド側壁の弾性係合片が係合する係止突起が設けられている。
【０００５】
しかしながら、図１０に示すように、連結解除用の冶具５００を用いて合体型コネクタ３００，４００の連結を解除させる場合、連結する一方の合体型コネクタ３００の弾性係合片３１０が、もう一方の合体型コネクタ４００の係止突起４１０を乗り越えるほどの変形量を得ることができない場合があり、結果的に連結が解除されないという問題があった。
【０００６】
本発明は、上記に鑑みてなされたものであって、より確実に連結を解除することができる合体型コネクタおよび合体型コネクタシステムを提供することを目的とする。
【課題を解決するための手段】
【０００７】
上述した課題を解決し、目的を達成するために、本発明の請求項１にかかる合体型コネクタは、ハウジングの本体部に端子を収容可能な収容部が形成され、前記本体部の上面に順次重ねられることによって複数段に重ね合わされる合体型コネクタにおいて、前記本体部の上面の両側部に他方の合体型コネクタの結合をガイドする一対のガイド壁を有し、前記一対のガイド壁の各ガイド壁は、内側に突出した内側突出部を有し、前記本体部は、両側壁から外側に向けて突出して設けられた一対の外側突起部を有し、一方の当該合体型コネクタの前記外側突起部のガイド入口側の端部が、他方の当該合体型コネクタの前記内側突出部に当接されることによって連結され、複数の当該合体型コネクタが連結された場合、一方の当該合体型コネクタの前記一対のガイド壁と、他方の当該合体型コネクタの前記両側壁との間に、ガイド方向に沿って隙間部が形成され、前記外側突起部に、前記隙間部側の端面から該隙間部側の端面に対向する端面に向かって貫通し前記隙間部とガイド方向で繋がるように形成される挿通穴を設けてなる、又は、前記隙間部側の端面から該隙間部側の端面に対向する端面に向かって凹状に形成され前記隙間部とガイド方向で繋がるように形成される挿通穴を設けてなることを特徴とする。
【０００８】
上述した課題を解決し、目的を達成するために、本発明の請求項２にかかる合体型コネクタは、ハウジングの本体部に端子を収容可能な収容部が形成され、前記本体部の上面に重ねられる合体型コネクタと連結される第一の連結部と、前記本体部の下面に重ねられる合体型コネクタと連結される第二の連結部とを有してなり、複数の合体型コネクタが重ね合わされて連結可能な合体型コネクタにおいて、前記第一の連結部は、前記本体部の上面の両側部から上方に突設されてなり、他方の当該合体型コネクタの前記本体部の両側壁に摺接して該他方の合体型コネクタの結合をガイドする一対のガイド壁を有し、前記一対のガイド壁の各ガイド壁は、ガイド方向に沿って延在した弾性片であり、かつガイド入口側の端部が固定端となり、他端の自由端に内側に突出した内側突出部を有してなる第一の係合部が設けられ、前記第二の連結部は、前記本体部の両側壁から外側に向けて突出して設けられた一対の外側突起部からなる第二の係合部を有してなり、一方の当該合体型コネクタの前記外側突起部のガイド入口側の端部が、他方の当該合体型コネクタの前記内側突出部に当接されることによって連結され、複数の当該合体型コネクタが連結された場合、一方の当該合体型コネクタの前記一対のガイド壁と、他方の当該合体型コネクタの前記両側壁との間に、ガイド方向に沿って隙間部が形成され、前記外側突起部に、前記隙間部側の端面から該隙間部側の端面に対向する端面に向かって貫通し前記隙間部とガイド方向で繋がるように形成される挿通穴を設けてなる、又は、前記隙間部側の端面から該隙間部側の端面に対向する端面に向かって凹状に形成され前記隙間部とガイド方向で繋がるように形成される挿通穴を設けてなることを特徴とする。
【０００９】
また、本発明の請求項３にかかる合体型コネクタシステムは、上記の発明において、請求項１または２に記載された合体型コネクタと、前記隙間部に挿入されて前記挿通穴に挿通可能な挿通部材を有してなる連結解除冶具と、を有してなる合体型コネクタユニットであって、前記挿通部材は、長手方向に直交する断面外形が矩形状の棒状部材であり、先端に向けて対向する面の一方の面に近づくように傾斜した傾斜面を有してなることを特徴とする。
【発明の効果】
【００１０】
本発明の請求項１にかかる合体型コネクタは、複数の当該合体型コネクタが連結された場合、一方の当該合体型コネクタの前記一対のガイド壁と、他方の当該合体型コネクタの前記両側壁との間に、ガイド方向に沿って隙間部が形成され、前記外側突起部は、前記隙間部とガイド方向で繋がるように挿通穴が形成されてなるので、挿通部材が前記挿通穴に挿通されることによって、前記内側突出部の係合部分がこの挿通部材の厚み分の距離で確実に前記側壁から離され、結果的に前記内側突出部が前記外側突起部を乗り越えることができるので、より確実に連結を解除することができる。
【００１１】
本発明の請求項２にかかる合体型コネクタは、複数の当該合体型コネクタが連結された場合、一方の当該合体型コネクタの前記一対のガイド壁と、他方の当該合体型コネクタの前記両側壁との間に、ガイド方向に沿って隙間部が形成され、前記外側突起部は、前記隙間部とガイド方向で繋がるように挿通穴が形成されてなるので、挿通部材が前記挿通穴に挿通されることによって、前記第一の係合部の内側突出部の係合部分がこの挿通部材の厚み分の距離で確実に前記側壁から離され、結果的に前記内側突出部が前記外側突起部を乗り越えることができるので、より確実に連結を解除することができる。
【００１２】
本発明の請求項３にかかる合体型コネクタシステムは、前記合体型コネクタと、前記隙間部に挿入されて前記挿通部に挿通可能な挿通部材を有してなる連結解除冶具と、を有するので、前記挿通部材が前記挿通部に挿通されることによって、前記第一の係合部の内側突出部がこの挿通部材の厚み分の距離で確実に前記側壁から離され、結果的に前記内側突出部が前記外側突起部を乗り越えることができるので、より確実に連結を解除することができる。しかも、前記挿通部材は、長手方向に直交する断面外形が矩形状の棒状部材であり、先端に向けて対向する面の一方の面に近づくように傾斜した傾斜面を有してなるので、前記内側突出部が前記側壁に近接して設けたれた場合であっても、前記内側突出部と前記側壁との間に前記挿通部材を入れることができ、結果的に容易に連結を解除することができる。
【図面の簡単な説明】
【００１３】
【図１】図１は、本発明の実施の形態にかかる合体型コネクタシステムの構成を示した斜視図である。
【図２】図２は、図１に示した合体型コネクタのＡ−Ａ線断面図である。
【図３】図３は、図１に示した合体型コネクタに雌コネクタが保持されている状態を示した図である。
【図４】図４は、図１に示した合体型コネクタが連結された状態を示す斜視図である。
【図５】図５は、図４に示した連結された合体型コネクタのＢ−Ｂ線断面図である。
【図６】図６は、図１に示した連結解除冶具の拡大斜視図である。
【図７】図７は、合体型コネクタの連結を解除する連結解除手順を示した図である。
【図８】図８は、この発明の実施の形態の変形例１の合体型コネクタの連結部分を示した要部断面図である。
【図９】図９は、この発明の実施の形態の変形例２の合体型コネクタシステムの構成を示した斜視図である。
【図１０】図１０は、従来技術の問題点を説明するための図である。
【発明を実施するための形態】
【００１４】
以下、図面を参照して、この発明にかかる合体型コネクタおよび合体型コネクタシステムの好適な実施の形態を詳細に説明する。
【００１５】
（実施の形態）
図１は、本発明の実施の形態にかかる合体型コネクタシステム１００の構成を示した斜視図である。図２は、図１に示した合体型コネクタ１のＡ−Ａ線断面図である。図３は、図１に示した合体型コネクタ１に雌コネクタ５０が保持されている状態を示した図である。図４は、図１に示した合体型コネクタ１が連結された状態を示す斜視図である。図５は、図４に示した連結された合体型コネクタ１のＢ−Ｂ線断面図である。図６は、図１に示した連結解除冶具６０の拡大斜視図である。
なお、便宜上、図中矢印方向を上下前後とする。
本発明の実施の形態にかかる合体型コネクタシステム１００は、図１に示すように、合体型コネクタ１と、複数の合体型コネクタ１の連結を解除する連結解除冶具６０とを有してなる。
【００１６】
ここで、一つ合体型コネクタ１の構成について説明する。
なお、一つの合体型コネクタ１に対して上側に重ねられて連結される合体型コネクタ１を上側合体型コネクタ１と称し、下側に重ねられて連結される合体型コネクタ１を下側合体型コネクタ１と称する。
合体型コネクタ１は、ハウジング１０およびバスバー４０を有してなり、ハウジング１０とバスバー４０とがインサート成形によって一体成形されてなる。
ハウジング１０は、複数の雌端子５０をバスバー４０に電気的に接続させて保持するものである。このハウジング１０は、図１に示すように、本体部１１および連結部２０を有してなる。
【００１７】
まず、本体部１１について説明する。
本体部１１は、外形が箱型形状をなし、上側合体型コネクタ１が重ねられる上重ね面Ｓ１、および下側合体型コネクタ１が重ねられる下重ね面Ｓ２を有してなる。このため、上重ね面Ｓ１あるいは下重ね面Ｓ２に重ねられた合体型コネクタ１が連結部２０によって連結されることによって、図４に示すように、複数の合体型コネクタ１が重ねて連結される。
【００１８】
また、本体部１１は、図２に示すように、端子収容部１２および端子係止部１３を有してなる。
端子収容部１２は、複数の雌端子５０を収容保持するものである。この端子収容部１２は、雌端子５０の挿入側に開口１２ａを有する１０室の端子収容室１２ｂを有してなる。この端子収容室１２ｂの後部には、端子収容室１２ｂに収容された各雌端子５０を電気的に接続するバスバー４０が組み込まれている。このため、各雌端子５０が開口１２ａから各端子収容室１２のバスバー４０との接続位置まで挿入されることによって、図３に示すように、各雌端子５０がバスバー４０に接続された状態で保持されるようになっている。
なお、各端子収容室１２ｂの上側を仕切る上側仕切り壁１２ｃは、上重ね面Ｓ１を形成する壁からなる。また、各端子収容室１２ｂの下側を仕切る下側仕切り壁１２ｄは、下重ね面Ｓ２を形成する壁からなる。
【００１９】
端子係止部１３は、雌端子５０を端子収容室１２ｂ内で固定するものである。この端子係止部１３は、第一の係止部１４および第二の係止部１５を有してなる。
第一の係止部１４は、雌端子５０の上方から当接することによって雌端子５０をバスバー４０との接続位置に固定するものである。
この第一の係止部１４は、突出片１４ａを有してなる。この突出片１４ａは、一端が各端子収容室１２の上側仕切り壁１２ｃに接続し、他端が後方に向けて端子収容室１２ｂの下面との距離が小さくなるように上側仕切り壁１２ｃから延出してなる。
また、第一の係止部１４は、突出片１４ａと上側仕切り壁１２ｃとの間に隙間１４ｂが形成され、この隙間１４ｂによって突出片１４ａが上方に撓むことができるようになっている。
【００２０】
第二の係止部１５は、端子収容室１２ｂ内に収容された雌端子５０に開口１２ａ側から当接することによって雌端子５０をバスバー４０との接続位置に固定するものである。この第二の係止部１５は、雌端子５０を係止する部分となる係止部材１５ａ、およびヒンジ部１５ｂを有してなる。
ヒンジ部１５ｂは、一端が下重ね面Ｓ１に接続され、他端が係止部材１５ａに接続されてなる。このため、係止部材１５ａは、下重ね面Ｓ１に接続された端部を固定された状態で回動可能になっている。このような第二の係止部１５は、係止部材１５ａが、下重ね面Ｓ１に形成された開口部１５ｃを介して、端子収容室１２ｂに内に移動されることによって、係止部材１５ａが開口１２ａ側から雌端子５０に当接するようになっている。
このような、第一の係止部１４および第二の係止部１５によって、各雌端子５０が端子収容室１２ｂ内のバスバー４０との接続位置で２重に係止されるようになっている。
【００２１】
次に、連結部２０について説明する。
連結部２０は、第一の連結部２１および第二の連結部３１を有してなる。第一の連結部２１は、上側合体型コネクタ１を連結するものである。この第一の連結部２１は、上重ね面Ｓ１の両側部から上方に突設された一対のガイド壁２２を有してなる。この一対のガイド壁２２は、上側合体型コネクタ１が連結される場合、上側合体型コネクタ１の本体部１１の両側壁１１ａに摺接されて上側合体型コネクタ１の移動をガイドするものである。この一対のガイド壁２２によって上側合体型コネクタ１は固定位置にガイドされる。
【００２２】
また、一対のガイド壁２２の各ガイド壁２２は、ガイド側壁２３、ガイドリブ２４、ガイド前壁２５、および第一の係合部２６を有する。
ガイド側壁２３は、上重ね面Ｓ１の両側部から上方に突設された一対の壁である。
ガイドリブ２４は、各ガイド側壁２３の上端部から内側に向けて突出して設けられたリブである。
ガイド前壁２３は、各ガイド壁２２の前面を形成する壁である。
【００２３】
第一の係合部２６は、上側合体型コネクタ１の後述する第二の係合部３２と係合されるものである。この第一の係合部２６は、ガイド側壁２３による上側合体型コネクタ１のガイド方向Ｄに沿って延在した弾性片２６ａを有してなる。この弾性片２６ａの後端部（ガイド入口側の端部）は、ガイド側壁２３に接続した固定端となり、前端部が自由端になっている。また、弾性片２６ａは、前方に向けて内側に傾斜するように形成されてなる。
【００２４】
またさらに、第一の係合部２６は、弾性片２６ａの前端部に段差部２６ｂを有してなる。段差部２６ｂは、内側に突出するように内側突出部２６ｃが形成されてなる。
【００２５】
第二の連結部３１は、下重ね面Ｓ２に重ねられる下側合体型コネクタ１を連結するものである。この第二の連結部３１は、第二の係合部３２を有してなる。
第二の係合部３２は、第一の係合部２６と係合されるものである。この第二の係合部３２は、本体部１１の両側壁１１ａから外側に向けて突出して設けられた一対の外側突起部３３を有してなる。この各外側突起部３３は、突出基部３４および挿通穴３５を有してなる。
【００２６】
突出基部３４は、ガイド方向Ｄに直交する前端面３４ａと、後方に向けて本体部１１の側壁１１ａとの距離が大きくするように傾斜して形成された傾斜面３４ｂと、ガイド方向Ｄに直交する後端面３４ｃとを有してなる。
この突出基部３４が、第一の係合部２６の段差部２６ｂに収まることによって、より具体的には、内側突出部２６ｃが突出基部３４の後端部である後端面３４ｃに当接することによって、第一の係合部２６と、第二の係合部３２とが係合されるようになっている。このように第一の係合部２６と第二の係合部３２とが係合されると、図５に示すように、突出基部３４が、ガイド前壁２５と内側突出部２６ｃとで挟まれた状態になる。
【００２７】
挿通穴３５は、突出基部３４の前端面３４ａから後端面３４ｃまで貫通する貫通穴である。この挿通穴３５は、連結解除冶具６０の後述する挿通部材６２が挿通可能に形成されてなる。
また、複数の合体型コネクタ１が連結された場合、例えば、上側合体コネクタ１が連結された場合、一対のガイド側壁２３と、上側合体型コネクタ１の本体部１１の両側壁１１ａとの間にガイド方向Ｄに沿って冶具挿通空間となる隙間部３６が形成されるようになっている。この隙間部３６は、連結解除冶具６０の後述する挿通部材６２の厚さ等に対応させて設定されている。
挿通穴３５は、ガイド方向Ｄで隙間部３６と繋がるように形成されてなる。このため、連結解除冶具６０の後述する挿通部材６２が合体型コネクタ１の本体部１１の後端から、この隙間部３６を通って、挿通穴３５に貫通されるようになっている。
【００２８】
次に、図６を用いて連結解除冶具６０について説明する。
連結解除冶具６０は、図６に示すように、操作部６１および挿通部材６２を有してなる。
操作部６１は、作業者が手で握って連結解除冶具６０を操作する部分である。  挿通部材６２は、長手方向に直交する断面外形が矩形状の棒状部材である。この挿通部材６２は、合体型コネクタ１の連結部分に接触させて合体コネクタ１の連結を解除させるものである。また、挿通部材６２は、第一の挿通部６２ａおよび第二の挿通部６２ｂを有してなる。
第一の挿通部６２ａは、操作部６１に接続される部分である。
第二の挿通部６２ｂは、挿通部材６２の先端部を形成する部分である。この第二の挿通部６２ｂは、第一の挿通部６１ａに比して短手方向の幅が短く形成されることによって、挿通部３５に挿通可能になっている。また、第二の挿通部６２ｂは、その端部、すなわち挿通部材６２の先端にテーパー部６３を有してなる。このテーパー部６３は、先端に向けて対向する面の一方の面に近づくように傾斜して形成された傾斜面６２ｃを有してなる。
【００２９】
次に、図７を用いて合体型コネクタ１の連結を解除する連結解除手順について説明する。図７は、合体型コネクタ１の連結を解除する連結解除手順を示した図である。
まず、作業者は、挿通部材６２を合体型コネクタ１の本体部１１の後端から、一対のガイド側壁２３と、連結された合体型コネクタ１の両側壁１１ａとの間の隙間部３６に挿入する（図７（ａ））。この際、隙間部３６と挿通部材６２との形状とが対応するように、隙間部３６の形状あるいは挿通部材６２の形状が設定されることで、連結解除冶具６０を所定の姿勢で安定して移動させることがでる。
【００３０】
その後、作業者は、挿通部材６２を隙間部３６内でさらに後方に挿通させることによって、挿通部材６２の第二の挿通部６２ｂを挿通穴３５に挿通させる（図７（ｂ））。この際、挿通部材６２の先端にはテーパー部６２ｃが形成されているため、弾性片２６ａと緩やかに当接される。このように挿通部材６２が挿通穴３５に挿通されることによって、挿通部材６２が第一の係合部２６の内側突出部２６ｃが、連結解除冶具６０の厚み分の距離で確実に本体部１１の側壁１１ａから離されるので、第一の係合部２６の内側突出部２６ｃが、第二の係合部３２の突出基部３４を乗り越えることができ、第一の係合部２６と第二の係合部３２との係合が確実に解除される。
また、内側突出部２６ｃが突出基部３４の後端面３４ｃに当接するようになっているので、挿通部材６２が突出基部３４の後端面３４ｃから挿通穴３５に挿通されることで、より確実に第一の係合部２６と第二の係合部３２との係合を解除することができる。
【００３１】
本発明の実施の形態にかかる合体型コネクタ１は、複数の合体型コネクタ１が連結された場合、一方の当該合体型コネクタ１の一対のガイド壁２２と、他方の合体型コネクタ１の両側壁１１ａとの間に、ガイド方向Ｄに沿って隙間部３６が形成され、外側突起部３３は、隙間部３６とガイド方向Ｄで繋がるように挿通穴３５が形成されてなるので、挿通部材６２が挿通穴３５に挿通されることによって、第一の係合部２６の内側突出部２６ｃの係合部分がこの挿通部材６２の厚み分の距離で確実に側壁１１ａから離され、結果的に内側突出部２６ｃが突出基部３４を乗り越えることができるので、より確実に連結を解除することができる。
【００３２】
また、本発明の実施の形態にかかる合体型コネクタ１は、挿通穴３５が外側突起部３３を貫通してなるので、外側突起部３３の肉厚が薄く形成されることで、外側突起部３３のヒケを防止することができ、結果的に連結をより確実にすることができる。
【００３３】
また、本発明の実施の形態にかかる合体型コネクタシステム１００は、合体型コネクタ１と、隙間部３６に挿入されて挿通穴３５に挿通可能な挿通部材６２を有してなる連結解除冶具６０と、を有するので、挿通部材６２が挿通穴３５に挿通されることによって、挿通部材６２が第一の係合部２６の先端部を、この連結解除冶具６０の先端側の厚み分だけ本体部１１の側壁１１ａから離すことができ、結果的に内側突出部２６ｃが、突出基部３４を確実に乗り越えることができるので、より確実に連結を解除することができる。
【００３４】
また、本発明の実施の形態にかかる合体型コネクタシステム１００は、挿通部材６２は、長手方向に直交する断面外形が矩形状の棒状部材であり、先端に向けて対向する面の一方の面に近づくように傾斜した傾斜面６２ｃを有してなるので、内側突出部２６ｃが側壁１１ａに近接して設けられた場合であっても、内側突出部２６ｃと側壁１１ａとの間に挿通部材６２を入れることができ、結果的に容易に連結を解除することができる。
【００３５】
（変形例１）
次に、この発明の実施の形態の合体型コネクタ１および合体型コネクタシステム１００の変形例１について図８を用いて説明する。図８は、この発明の実施の形態の変形例１の合体型コネクタ２の連結部分を示した要部断面図である。
この変形例１の合体型コネクタシステム２００の合体型コネクタ２は、突出部３３に代わって突出部７０を有してなる。この突出部７０は、挿通穴３５に代わって挿通穴７１を有する点で突出部３３と異なる。
なお、その他の構成は実施の形態と同様であり、実施の形態と同一構成部分には同一符号を付している。
【００３６】
挿通穴７１は、図８に示すように、突出基部３４の前端面３４ａに形成された凹部である。この挿通穴７１は、連結解除冶具６０の挿通部材６２が挿通可能に形成されている。
【００３７】
この変形例１の合体型コネクタ２および合体型コネクタシステム２００は、挿通部材６２が挿通穴７１に挿通されることによって、実施の形態の合体型コネクタ１と同様に内側突出部２６ｃの係合部分が、突出基部３４を確実に乗り越えることができるので、より確実に連結を解除することができる。
【００３８】
（変形例２）
次に、この発明の実施の形態の合体型コネクタ１および合体型コネクタシステムの変形例２について図９を用いて説明する。図９は、この発明の実施の形態の変形例２の合体型コネクタシステム３００の構成を示した斜視図である。
この変形例２の合体型コネクタシステム３００は、連結解除冶具６０に代わって連結解除冶具８０を有してなる点で合体型コネクタシステム１００と異なる。  なお、その他の構成は実施の形態と同様であり、実施の形態と同一構成部分には同一符号を付している。
【００３９】
連結解除冶具８０は、図９に示すように、挿通部材８１が短手方向の幅を変化させない形状になっている。すなわち、挿通部材８１全体が挿通穴３５に挿通できる大きさに設定されている。
【００４０】
この変形例２の合体型コネクタシステム３００は、挿通部材８１が挿通穴３５に挿通されることによって、実施の形態の合体型コネクタシステム１００と同様に内側突出部２６ｃの係合部分が、突出基部３４を確実に乗り越えることができるので、より確実に連結を解除することができる。
【００４１】
なお、本発明の実施の形態の合体型コネクタ１，２および合体型コネクタシステム１００，２００，３００は、合体型コネクタ１，２が雌端子５０を保持するものを例示したが、これに限らない。すなわち雄端子を保持するものであってもよい。この場合、バスバー等は雄端子と電気的に接続されるものを用いる。
【００４２】
また、本発明の実施の形態の合体型コネクタ１，２および合体型コネクタシステム１００，２００，３００は、図では１０室の端子収容室を有するものを例示したが、これに限らず、１以上の端子収容室を有していればよい。
【００４３】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４４】
１、２    合体型コネクタ
１０      ハウジング
１１      本体部
１１ａ    側壁
１２      端子収容部
１２ａ    開口
１２ｂ    端子収容室
１２ｃ    上側仕切り壁
１２ｄ    下側仕切り壁
１３      端子係止部
１４      第一の係止部
１４ａ    突出片
１４ｂ    隙間
１５      第二の係止部
１５ａ    係止部材
１５ｂ    ヒンジ部
１５ｃ    開口部
２０      連結部
２１      第一の連結部
２２      ガイド壁
２３      ガイド側壁
２４      ガイドリブ
２５      ガイド前壁
２６      第一の係合部
２６ａ    弾性片
２６ｂ    段差部
２６ｃ    内側突出部
３１      第二の連結部
３２      第二の係合部
３３、７０  外側突起部
３４      突出基部
３４ａ    前端面
３４ｂ    傾斜面
３４ｃ    後端面
３５、７１  挿通穴
３６      隙間部
４０      バスバー
５０      雌端子
６０、８０  連結解除冶具
６１      操作部
６２、８１  挿通部材
６２ａ    第一の挿通部
６２ｂ    第二の挿通部
６２ｃ    傾斜面
６３      テーパー部
１００、２００、３００  合体型コネクタシステム
Ｓ１      上重ね面
Ｓ２      下重ね面
Ｄ        ガイド方向
【図１】
0005731224.tif 000002
【図２】
0005731224.tif 000003
【図３】
0005731224.tif 000004
【図４】
0005731224.tif 000005
【図５】
0005731224.tif 000006
【図６】
0005731224.tif 000007
【図７】
0005731224.tif 000008
【図８】
0005731224.tif 000009
【図９】
0005731224.tif 000010
【図１０】
0005731224.tif 000011